(57)【要約】【課題】地球環境に配慮しつつ、流動性、乾燥性、機上安定性、経時安定性に優れたオフセットインキ及びそれを用いた印刷物の提供。【解決手段】バインダー樹脂、植物油および溶剤を含有するオフセット印刷インキ組成物において、特定の、植物油を含有するヒートセットオフ輪インキ組成物。すなわち、前記植物油が、植物油全体に対して９０〜１００重量％の一般式（１）で表される化合物を含有するヒートセットオフ輪インキ組成物。  一般式（１）    【化１】 2010168477.tif 000009【選択図】なし【特許請求の範囲】
【請求項１】
バインダー樹脂、植物油および溶剤を含有するオフセット印刷インキ組成物において、前記植物油が、植物油全体に対して９０〜１００重量％の一般式（１）で表される化合物を含有することを特徴とするヒートセットオフ輪インキ組成物。
一般式（１）
【化１】
2010168477.tif 000008
【請求項２】
一般式（１）で表される化合物中の（Ｒ１＋Ｒ２＋Ｒ３）の全量に対して、二重結合を２つ有するＣ１８の不飽和炭化水素基のモル比率が３０〜４０％であって、かつ、二重結合を３つ有するＣ１８の不飽和炭化水素基のモル比率が１．５％以下であることを特徴とする請求項１記載のヒートセットオフ輪インキ組成物。
【請求項３】
バインダー樹脂が、重量平均分子量１００００〜１０００００およびトレランス２０〜３０重量％であるロジン変性フェノール樹脂であることを特徴とする請求項１または２に記載のヒートセットオフ輪インキ組成物。
【請求項４】
溶剤が、アニリン点７５〜９５℃および沸点範囲２３０〜２６０℃である溶剤をインキ全量の５〜１５重量％含有することを特徴とする請求項１〜３のいずれかに記載のヒートセットオフ輪インキ組成物。
【請求項５】
請求項１〜４のいずれかに記載のヒートセットオフ輪インキ組成物を基材上に印刷してなる印刷物。
【発明の詳細な説明】
【技術分野】
【０００１】
本発明は、書籍、チラシ、カタログ等の印刷に使用されるヒートセットオフ輪インキに関し、更に詳しくは、従来よりも乾燥性、印刷機上での安定性、経時安定性に優れた環境負荷の少ないオフセットインキに関する。
【背景技術】
【０００２】
オフセットインキ業界は地球環境や作業環境の改善にも取り組んできており、インキ中の石油系溶剤の全部または一部を大豆油に替えたものは大豆油インキとしてアメリカ大豆協会から認定を受けることができることもあり、環境問題，ＶＯＣ（揮発性有機化合物）規制，大豆農業振興を背景として大豆油インキが主流になりつつある。
【０００３】
ヒートセットオフ輪印刷は紙に転写されたインキに熱を加えることでインキ中の溶剤分を蒸発させる加熱乾燥方式である。揮発成分である石油系溶剤の全てを沸点の高い大豆油に代表される植物油に置換することは非常に困難である。
【０００４】
ヒートセットオフ輪印刷においては、インキに使用する溶剤の沸点は低い方が乾燥性は優れており、印刷物の乾燥不良による印刷機上での擦れや結束後のブロッキングに関して優位である。しかし、沸点の低い溶剤を多用し、乾燥性を重視していくと、印刷機上での印刷インキの安定性が悪くなり、印刷機上でインキが増粘し、流動性の劣化やタックアップしたインキが紙剥けを誘発したり、紙粉を巻き込みパイリングを起こしやすくなる等の問題が生じ易くなるため、乾燥性と機上安定性のどちらにも優れているインキを作るのは困難であった。
【０００５】
ヒートセットオフ輪インキ中に含まれる大気汚染原因物質であるＶＯＣ成分のインキからの排除という観点から、過去印刷適性・印刷効果は従来の石油系溶剤使用のオフセットインキと遜色の無い環境対応型インキの検討がなされてきた。
【０００６】
特許文献１と特許文献２にロジン変性フェノール樹脂と植物エステルを溶剤主成分とし、従来のインキに比べて大幅にＶＯＣ成分を削減し、かつ高速セット性を備えた印刷インキ組成物が提案されているが、ヒートセットオフ輪インキでは乾燥性が大幅に悪く実用することは不可能であった。
【０００７】
特許文献３では、ロジン変性フェノール樹脂、米ぬか油と脂肪酸モノエステルを主原料とし、従来のインキに比べ大幅にＶＯＣ成分を削減し臭気が少なくゴム部材の変質又は劣化が少なく、かつ良好な機上安定性を備えた印刷インキが提案されているが、これも乾燥性が悪くヒートセットオフ輪インキとしての実用性に乏しい。
【０００８】
特許文献４では、ヨウ素価を１００以上に調整した米ぬか油を用いたオフセットインキについて提案されているが、ヒートセットオフ輪印刷においてはヨウ素価の高い植物油よりも石油系溶剤のアニリン点や沸点が乾燥性・機上安定性に依存する。さらに、ヨウ素価が高い植物油を多用すると、保存容器内でのインキの増粘や流動性の劣化を招きやすい。
さらに、近年、大豆油などの農作物がバイオエタノール原料に転用される様になり、大豆油の価格の高騰や、安定した供給量の確保が懸念されている。一方、世界規模でのＣＯ２排出量削減の急激な動きで、脱石化素材・ＶＯＣのインキ成分からの排除を目的とした考え方が普及しつつあった。しかし、輸送燃料に対しても同様の考え方が適用される。
【０００９】
輸送マイレージ、即ち原料や製品などの生産・製造地と消費地との距離を短縮することでＣＯ２排出量を削減していくという観点では、インキ製造地から近いところでインキの原料を調達することで、ＣＯ２排出量の削減に貢献できる。
【００１０】
しかしながら、物油成分として用いられている大豆油は北米・南米で収穫された大豆を海外で搾油したものが輸入されているのが主であり、輸送マイレージが悪く環境に好ましくない。
【先行技術文献】
【特許文献】
【００１１】
【特許文献１】特開２００２−６９３５４号公報
【特許文献２】特開２００２−１５５２２７号公報
【特許文献３】特開２００４−３３０３１７号公報
【特許文献４】特開２００３−９６３７５号公報
【発明の概要】
【発明が解決しようとする課題】
【００１２】
本発明は、地球環境に配慮しつつ、流動性、乾燥性、機上安定性、経時安定性に優れたオフセットインキ及びそれを用いた印刷物を提供することである。
【課題を解決するための手段】
【００１３】
上記課題を解決するために誠意研究した結果、バインダー樹脂、植物油および溶剤を含有するオフセット印刷インキ組成物において、特定の、植物油を含有するヒートセットオフ輪インキ組成物が優れていることを見出し、本発明を完成するに至った。
【００１４】
すなわち、本発明は、バインダー樹脂、植物油および溶剤を含有するオフセット印刷インキ組成物において、前記植物油が、植物油全体に対して９０〜１００重量％の一般式（１）で表される化合物を含有することを特徴とするヒートセットオフ輪インキ組成物に関するものである。
【００１５】
一般式（１）
【００１６】
【化１】
2010168477.tif 000002
【００１７】
また、本発明は、一般式（１）で表される化合物中の（Ｒ１＋Ｒ２＋Ｒ３）の全量に対して、二重結合を２つ有するＣ１８の不飽和炭化水素基のモル比率が３０〜４０％であって、かつ、二重結合を３つ有するＣ１８の不飽和炭化水素基のモル比率が１．５％以下であることを特徴とする上記のヒートセットオフ輪インキ組成物に関するものである。
【００１８】
さらに、本発明は、バインダー樹脂が、重量平均分子量１００００〜１０００００およびトレランス２０〜３０重量％であるロジン変性フェノール樹脂であることを特徴とする上記のヒートセットオフ輪インキ組成物に関するものである。
【００１９】
また、本発明は、溶剤が、アニリン点７５〜９５℃および沸点範囲２３０〜２６０℃である溶剤を溶剤全体の５〜１５重量％含有することを特徴とする上記のヒートセットオフ輪インキ組成物に関するものである。
【００２０】
さらに、本発明は、上記のヒートセットオフ輪インキ組成物を基材上に印刷してなる印刷物に関するものである。
【発明の効果】
【００２１】
書籍、チラシ、カタログ等の印刷において、本発明が提供するヒートセットオフ輪インキは、従来よりも乾燥性、印刷機上での安定性、経時安定性に優れ、しかも環境負荷が少ない。
【発明を実施するための形態】
【００２２】
次に、好ましい実施の形態を挙げて本発明をさらに具体的に説明する。
なお、以下の一般式（１）で表される化合物を総称して、本発明においては、化合物Ｚとする。
【００２３】
一般式（１）
【００２４】
【化２】
2010168477.tif 000003
【００２５】
本発明で用いられる化合物Ｚは、（Ｒ１＋Ｒ２＋Ｒ３）の全量に対して、二重結合を２つ有するＣ１８の不飽和炭化水素基のモル比率が３０〜４０％が良く、好ましくは３２〜３８％が良い。さらに、二重結合を３つ有するＣ１８の不飽和炭化水素基のモル比率が１．５％以下がより好ましく、１．０％以下が良く、さらに好ましくは、０．５％以下であることが望ましく、できれば含まれない方が良い。すなわち、化合物Ｚは、二重結合の割合が特定のものが好ましい。
【００２６】
また、化合物Ｚの含有量は、植物油全体に対して、９０〜１００重量％が良く、さらに好ましくは９５〜１００重量％が良い。さらに、ヒートセットオフ輪インキ全量に対しては、５〜１５重量％、より好ましくは６〜１２重量％、さらに好ましくは７〜１０重量％含有されていることが望ましい。化合物Ｚの含有量が、ヒートセットオフ輪インキ全量に対して５重量％よりも少ないと、印刷機上でのインキの安定性が劣り、インキの増粘、流動性の低下を招く。化合物Ｚの含有量が、ヒートセットオフ輪インキ全量に対して１５重量％よりも多いと、乾燥性が劣り、印刷機上での擦れや印刷紙面結束後ブロッキング等を招き、ドライヤー温度を上げることによる火皺の発生等品質紙面の劣化を誘発するため好ましくない。
【００２７】
また、二重結合を２つ有するＣ１８の不飽和炭化水素基の比率が３０％以下であると、インキ乾燥後の印刷物の耐摩擦性や光沢が劣り、４０％以上であると、保存容器内でのインキの経時安定性が劣るため好ましくない。また、三重結合を１つ有するＣ１８の不飽和炭化水素基が存在すると保存容器内でのインキの経時安定性が著しく劣るためなるべく少なくした方が好ましくない（好適なのは、含有量０重量％である。）。
【００２８】
また、本発明で用いられる化合物Ｚは、輸送マイレージ短縮によるＣＯ２排出量削減という観点から８０重量％以上、好ましくは９０重量％以上、より好ましくは１００重量％以上国内で原料生産及び搾油されていることが望ましい。国内で生産した原料を調達することで、海外で収穫及び搾油された大豆油に代表される植物油と比べ、大幅に輸送燃料を削減し、ＣＯ２排出量を削減することができるため、環境負荷をより小さくすることが可能となる。この点からも工業的にかなりのメリットがある。本発明において、化合物Ｚを典型的に入手する方法は、国内で生産及び搾油された米ぬか油として入手すればよいが、他の植物油等を精製して、一般式（１）になるように加工すればよい。
【００２９】
本発明では、必要に応じて例えば大豆油、再生大豆油、菜種油、ヤシ油、綿実油、落花生油、パーム油、コーン油、オリーブ油、亜麻仁油、大豆油、サフラワー油等の植物油由来のものや、それらの熱重合油及び酸素吹き込み重合油等を併用することもでき、これらを単独或いは２種類以上組み合わせて併用して用いることもできるが、好ましくはヒートセットオフ輪インキ全量に対して３重量％以下、さらに好ましくは１重量％以下の含有率にすることが望ましい。３重量％以上併用させると、インキのセット性・乾燥性が劣り、保存容器内でのインキの経時安定性が劣るため好ましくない。
【００３０】
本発明におけるトレランスとは、試験管中に樹脂２．５０ｇとＡＦソルベント５号（新日本石油（株）製）を５ｇ入れ、適時攪拌しながら５分間で１８０℃に昇温し、溶解したものを２５．０℃まで冷却し、攪拌しつつ０号ソルベント（新日本石油（株）製）で少量ずつ希釈していき、微濁状態を終点とした時の０号ソルベントの量から以下の式によりトレランスの値を求める。
【００３１】
【数１】
2010168477.tif 000004
【００３２】
本発明で用いられるバインダー樹脂としては、重量平均分子量１００００〜１０００００、好ましくは２００００〜８００００、且つトレランスが２０〜３０重量％好ましくは２２〜２８重量％であるロジン変性フェノール樹脂であることが望ましい。
重量平均分子量が１００００以下ではインキの粘弾性が低下し、１００００００以上ではインキの流動性、光沢が劣る。また、トレランスが２０重量％以下ではインキのセット性が低下し、さらにセットオフ汚れ、ミスチング性能の劣化を招く。トレランスが３０重量％以上では、印刷機上での溶剤離脱の促進によるインキの増粘、流動性の低下、タック上昇による印刷適性の劣化を招き、さらに光沢が低下するため好ましくない。
【００３３】
本発明では、芳香族炭化水素の含有率が１重量％以下で、アニリン点が７５〜９５℃、好ましくは８０〜９０℃及び沸点が２３０〜２６０℃好ましくは２４５〜２６０℃である石油系溶剤をインキ全量の５〜１５重量％、好ましくは７〜１３重量％含有するのが望ましい。石油系溶剤のアニリン点が７５℃未満の場合には、樹脂を溶解させる能力が高すぎる為、インキのセット性が遅くなり好ましくなく、また９５℃を越える場合には樹脂の溶解性が乏しい為、光沢、着肉等が悪くなり好ましくない。
【００３４】
また、本発明に用いられる石油系溶剤は必要に応じて、沸点が２６０〜３５０℃、好ましくは２８０℃〜３４０℃の範囲にある石油系溶剤を併用することができる。併用する石油系溶剤の沸点が２６０℃未満の場合には、印刷機上でのインキの溶剤蒸発が多くなり、インキの流動性の劣化により、インキがローラー、ブランケット、版等への転移性が悪くなり好ましくない。また、併用する石油系溶剤の沸点が３５０℃を越える場合には、インキの乾燥性が劣るため好ましくない。
【００３５】
また、本発明に用いられる顔料としては、任意の無機及び有機顔料が使用できる。無機顔料としては、黄鉛、亜鉛黄、紺青、硫酸バリウム、カドミウムレッド、酸化チタン、亜鉛華、弁柄、アルミナホワイト、炭酸カルシウム、群青、カーボンブラック、グラファイト、アルミニウム粉などがあげられ、有機顔料としては、アゾ系、フタロシアニン系、キナクリドン系、アントラキノン系、ジオキサジン系などオフセットインキに用いられる顔料が相当する。有機顔料に関しては、例えば、銅フタロシアニン系顔料（Ｃ．Ｉ．Ｐｉｇｍｅｎｔ Ｂｌｕｅ １５、１５：１、１５：２、１５：３、１５：４、１５：６、Ｃ．Ｉ．Ｐｉｇｍｅｎｔ Ｇｒｅｅｎ ７、３６）、モノアゾ系顔料（Ｃ．Ｉ．Ｐｉｇｍｅｎｔ Ｒｅｄ ３、４、５、２３、４８：１、４８：２、４８：３、４８：４、４９：１、４９：２、５３：１、５７：１）、ジスアゾ系顔料（Ｃ．Ｉ．Ｐｉｇｍｅｎｔ Ｙｅｌｌｏｗ １２、１３、１４、１７、８３）、アントラキノン系顔料（Ｃ．Ｉ．Ｐｉｇｍｅｎｔ Ｒｅｄ １７７）、キナクリドン系顔料（Ｃ．Ｉ．Ｐｉｇｍｅｎｔ Ｒｅｄ １２２、Ｃ．Ｉ．ＰｉｇｍｅｎｔＶｉｏｌｅｔ １９）、ジオキサジン系顔料（Ｃ．Ｉ．Ｐｉｇｍｅｎｔ Ｖｉｏｌｅｔ ２３）などがあげられるが、これらに限定されるものではない。
さらに、本発明のヒートセットオフ輪インキ組成物には、必要に応じて ゲル化剤、顔料分散剤、金属ドライヤー、乾燥抑制剤、酸化防止剤、耐摩擦向上剤、裏移り防止剤、非イオン系海面活性剤、多価アルコール等の添加剤を便宜使用することができる
【実施例】
【００３６】
次に実施例を挙げて本発明を更に具体的に説明するが、本発明はこれらの実施例によって限定されるものではない。尚、本発明中の「部」は重量部を表す。
【００３７】
＜粘度の測定方法＞
ＨＡＡＫＥ Ｒｈｅｏｓｔｒｅｓｓ６００（Ｔｈｅｒｍｏ ＥＬＥＣＴＲＯＮ ＣＯＲＰＯＲＡＴＩＯＮ社製）による２５℃、シェアレートが１１７／ｓ時の粘度を、本発明における粘度とした。
【００３８】
（フェノール樹脂製造例１）
撹拌機、冷却器、温度計をつけた４つ口フラスコにＰ−オクチルフェノール１０００部、３５％ホルマリン８５０部、９３％水酸化ナトリウム６０部、トルエン１０００部を加えて、９０℃で６時間反応させたる。その後６Ｎ塩酸１２５部、水道水１０００部の塩酸溶液を添加し、撹拌、静置し、上層部を取り出し、不揮発分４９％のレゾールタイプフェノール樹脂のトルエン溶液２０００部を得て、これをレゾール液Ｙとした。
【００３９】
（ロジン変性フェノール樹脂の製造例１）
撹拌機、水分分離器付き冷却器、温度計をつけた４つ口フラスコに、ガムロジン１０００部を仕込み、窒素ガスを吹き込みながら２００℃で溶解し、レゾール液Ｙ１３６０部を添加し、トルエンを除去しながら２３０℃で４時間反応させた後、グリセリン１１０部を仕込み、２５０〜２６０℃で酸化２０以下になるまでエステル化して、重量平均分子量４００００、トレランス２２重量％のロジン変性フェノール樹脂Ａ（以下、樹脂Ａと称す）を得た。
【００４０】
（ロジン変性フェノール樹脂の製造例２）
撹拌機、水分分離器付き冷却器、温度計をつけた４つ口フラスコに、ガムロジン１０００部を仕込み、窒素ガスを吹き込みながら２００℃で溶解し、レゾール液Ｙ１５００部を添加し、トルエンを除去しながら２３０℃で４時間反応させた後、グリセリン１１５部を仕込み、２５０〜２６０℃で酸化２０以下になるまでエステル化して、重量平均分子量７００００、トレランス２６重量％のロジン変性フェノール樹脂Ｂ（以下、樹脂Ｂと称す）を得た。
【００４１】
（ロジン変性フェノール樹脂の製造例３）
撹拌機、水分分離器付き冷却器、温度計をつけた４つ口フラスコに、ガムロジン１０００部を仕込み、窒素ガスを吹き込みながら２００℃で溶解し、レゾール液Ｙ１８００部を添加し、トルエンを除去しながら２３０℃で４時間反応させた後、グリセリン１３０部を仕込み、２５０〜２６０℃で酸化２０以下になるまでエステル化して、重量平均分子量１４００００、トレランス３３重量％のロジン変性フェノール樹脂Ｃ（以下、樹脂Ｃと称す）を得た。
【００４２】
（ヒートセットオフ輪インキ用ゲルワニスの製造）
撹拌機、リービッヒ冷却管、温度計付４つ口フラスコに樹脂Ａ（重量平均分子量５００００、トレランス２２重量％）４５部、植物油Ｄ（化合物Ｚの割合が９８重量％、化合物Ｚ中の（Ｒ１＋Ｒ２＋Ｒ３）の全量に対して二重結合を２つ有するＣ１８の不飽和炭化水素のモル比率が３４％、化合物Ｚ中の（Ｒ１＋Ｒ２＋Ｒ３）の全量に対して二重結合を３つ有するＣ１８の不飽和炭化水素のモル比率が０．６％）１４部、市販の石油系溶剤Ｘ（アニリン点８４℃、沸点範囲２４４〜２６０℃）１７部、ＡＦソルベント５号（新日本石油（株）製）２３部を仕込み、１９０℃に昇温、同温で３０分間攪拌した後、放冷し、ゲル化剤としてエチルアセトアセテートアルミニウムジイソプロポキシド１重量部（川研ファインケミカル（株）製ＡＬＣＨ、以下ＡＬＣＨと称す）を仕込み、１９０℃で３０分間攪拌してヒートセットオフ輪インキ用ゲルワニス１（以下ワニス１と称す）を得た。
【００４３】
さらに、表１の組成に基づいて、上記と同等のゲルワニス製造方法により、ゲルワニス２〜８（以下ワニス２〜８と称す）を得た。また、表１中のＣ１４〜Ｃ１８は、化合物Ｚの含有割合を示す。また、Ｃ１８：２は、化合物Ｚ中の（Ｒ１＋Ｒ２＋Ｒ３）の全量に対して二重結合を２つ有するＣ１８の不飽和炭化水素のモル比率を示し、Ｃ１８：３は、二重結合を３つ有するＣ１８の不飽和炭化水素のモル比率を示す。
【００４４】
【表１】
2010168477.tif 000005
【００４５】
（ヒートセットオフ輪ベースインキ及びインキの製造）
ＬＩＯＮＯＬ  ＢＬＵＥ  ＦＧ７３３０（東洋インキ製造（株）製）を１７部、ゲルワニス１を６０部、耐摩擦コンパウンド（森村ケミカル（株）製）５部、ＡＦソルベント５号（新日本石油（株）製）１０部、計９２部を３本ロール上に仕込み、６０℃の３本ロールで２回練肉したところ、顔料粒子は７．５μｍ以下に分散され、ベースインキ１を得た。このベースインキ１の粘度が４０±５Ｐａ・ｓになり、且つ１００部になる様にゲルワニス１とＡＦソルベント５号にて調整を行ったところ、ベースインキ１にゲルワニス１を４重量部、ＡＦソルベント５号を４部加えて４０Ｐａ・ｓの実施例１のインキを約１００重量部得た。
【００４６】
上記と同等のベースインキ作製方法にて、表２に示す配合にてベースインキを作製し、同等にゲルワニスとＡＦソルベント５号量の調整にて４０±５Ｐａ・ｓにインキの粘度調整を行ったところ、実施例２〜４、比較例１〜４のインキを約１００部得た。
また、表２に、実施例１〜４及び比較例１〜４それぞれのインキに含まれる化合物Ｚ、石油系溶剤Ｘ、ＡＦソルベント５号の重量％を示す。
【００４７】
【表２】
2010168477.tif 000006
【００４８】
（評価結果）
上記実施例１〜４及び比較例５〜８のヒートセットオフ輪インキにおける、流動性、乾燥性、機上安定性、経時安定性について評価を実施し、結果を表３に示した。
【００４９】
【表３】
2010168477.tif 000007
【００５０】
＜流動性の測定方法＞
インキ２．１ｃｃを半球状の容器にセットし、１５分間静置させた後、６０°に傾けた傾斜板の上にインキを垂らし、１０分間で流れた長さを測定し、以下の評価基準に基づいて評価を行った。値が高いほどインキのしまりが少なく、流動性が良好であることを示す。
（評価基準）
○：８０ｍｍ以上
△：６０ｍｍ以上、８０ｍｍ未満
×：６０ｍｍ未満
【００５１】
＜乾燥性の測定方法＞
インキをＲＩテスター（株式会社明製作所製）にてコート紙に展色し、自製コンベア式熱風乾燥試験機を通した後、展色面のベタ付きが無くなった時の紙面温度を測定し、以下の評価基準に基づいて評価を行った。低温度で展色面のベタ付きがなくなる程、乾燥性に優れていることを示す。
（評価基準）
○：８５℃未満
△：８５℃以上、９０℃未満
×：９０℃以上
【００５２】
＜機上安定性の測定方法＞
株式会社東洋精機製デジタルインコメーターにインキ１．３２ｃｃをセットし、４０℃、１２００ｒｐｍの条件においてタック値が最大値になるまでの時間を測定し、以下の評価基準に基づいて評価を行った。最大値になるまでの時間が長い程、インキのタック値が緩やかに変動するため印刷機上でのインキの粘度上昇や流動性の変化が少ないことを示しているため、機上安定性に優れていることを示す。
（評価基準）
○：２０ｍｉｎ以上
△：１５ｍｉｎ以上、２０ｍｉｎ未満
×：１５ｍｉｎ未満
【００５３】
＜経時安定性の測定方法＞
ＨＡＡＫＥ Ｒｈｅｏｓｔｒｅｓｓ６００（Ｔｈｅｒｍｏ ＥＬＥＣＴＲＯＮ ＣＯＲＰＯＲＡＴＩＯＮ社製）による２５℃、シェアレートが１１７／ｓ時の粘度（Ｐａ・ｓ）を測定したインキを、最大容量２２０ｃｃの密閉容器に１８０ｃｃ量り取る。容器内を窒素パージした後蓋を閉め、７０℃のオーブンで１週間保管し、促進をかける。１週間後、オーブンから取り出し、再度粘度を測定し、オーブン保管前のインキとの粘度差を求め、以下の評価基準に基づいて評価を行った。粘度変化量が少ない程、経時安定性に優れていることを示す。
（評価基準）
○：５Ｐａ・ｓ未満
△：５Ｐａ・ｓ以上、１０Ｐａ・ｓ未満
×：１０Ｐａ・ｓ以上
【００５４】
表３の結果より、流動性、乾燥性、機上安定性、経時安定性の全てがバランス良く、優れているものは、実施例であることが分かった。
【産業上の利用可能性】
【００５５】
本発明によるヒートセットオフ輪インキは、従来よりも乾燥性、印刷機上での安定性、経時安定性に優れ、しかも環境負荷が少なく、書籍、チラシ、カタログ等の印刷分野において有益な活用が図られる。